(57)【要約】      （修正有）【課題】幼稚園児又は小学生の低学年に用い、遊びながらに数に興味と算数の知識の向上につながり、扱いやすい形状と大きさを持ち、さらに見飽きないカラーで構成された数の遊び具を提供する。【解決手段】磁石付板２０の上に表示シート１０を重ね合わせ、表示シート１０の上に  めがねシート１を重ねて使用する。（ａ）は、「たし算」時に使用するものであり、（ｂ）は、「ひき算」時のものであり、（ｃ）は、「かけ算」時に使用する重ね合わせ前のものである。この三者にての相違は、表面に記入する文字が課題（即ち、たし算、ひき算及び  かけ算時の使用目的による課題）に合うように、課題の文字、等号・式などの配列が異なるのみである。【選択図】図５
0003177682.tif 000002
【実用新案登録請求の範囲】
【請求項１】
幼稚園児または  小学生低学年用の算数の学習用具の  数（かず）の遊び具において、
イ）めがねシートは、表示シートの数と同じ位置に合う孔を持ち、
ロ）表示シートは  課題の文字が印字され、課題を解くための内容を表す数が  課題の下側に１０ケ孔が羅列され、
ハ）使用時は、  表示シートの上に  めがねシートを重ね合わせ、
ニ）その  めがねシートの孔に  コマの数の文字を上向きにしてコマの円筒形の径側をセットし、
以上の部品にて構成されたことを特徴とする学習用具の  数の遊び具。
【請求項２】
イ）数の課題を記載した  表示シートの下側に、磁石付板を置き、
ロ）めがねシートの裏面に透明の  プラスチックを接着し、
ホ）コマのボディーの中に磁石を持ったコマを  めがねシートの１０ケの孔にセットし、
以上より構成してなることを特徴とする請求項１の学習用具の  数の遊び具。
【請求項３】
イ）数あて表示板に記載の特定の数字を  ４ツの各リストから各１選び、各リストの選択の条件にて、表示シート内の特定の数字欄の数を用い、その値の合計の和の数字を求める、表示シートの  数あて表示板の製作時に、
ロ）磁石付板、表示シート及び  めがねシートの各部品の相似形の物の製作時に、
ハ）各寸法の値に、Ｋの特定の数字を掛けた値を用い、相似形の学習用具の  数の遊び具のものを作ることを特徴とする
請求項１の学習用具の  数の遊び具。
【考案の詳細な説明】
【技術分野】
【０００１】  本考案は、幼稚園児  又は小学生の低学年用の  数の遊びの用具に関するものである。
【背景技術】
【０００２】  幼稚園児  及び  小学生の低学年に用い  遊びながらに数に興味と算数の知識の向上にて学習の成績向上にもつながるものを  遊びながら身に付くものが要望されている。
【考案の概要】
【考案が解決しようとする課題】
【０００３】  幼稚園児及び  小学生の低学年らには筆記具などを用いず遊びながら自然な状態にて、苦手な者が多い算数を自然に数（かず）についての知識が習得でき、また  中学生になっての数学の苦手意識がない様に幼児・低学年時の内に  数に興味を持つ様な習性を自然に身につけることを遊び心にて体得するものを課題とした。
従来の多くは、空想的な頭で学習での数の勉強であったが、本考案は、目と手を使いながら数学の習得のために学習用具を用いる遊びながらの数の習得である。
このために、磁石付盤、穴あきシート・文字板の表示シートとコマの部品から構成されたもので、これらを系統的に組合せしながら課題を自然に会得していくものである。
尚、これらは、小学生の  おねえちゃん、おにいちゃんにて、自分より年下の幼稚園、小学生の低学年（１から２年性）などを目標においた遊具として考案されている。
もろもろの遊具は、「ラミネート」にてコーテイーングして使いやすく何回も使用に耐えるように作成されているものが課題であった。
【課題を解決するための手段】
【０００４】  本考案は、前記の様な従来の課題に対応するために、扱いやすい形状と大きさにて、もろもろの部品は製作され  また  見飽きの来ないカラーにて、各部品の構成をまとめ  いつでも使用が出来る様にケース内に保管がされ、数字に興味を持つように、これらの部品を有機的に使用が出来るような数の遊び法も、イ）足し算  ロ）引算  ハ）掛け算がケース内に入っているので、飽きの来ない遊び具として前記の  数のあそびを，循環して学習が出来る様に親御さんが遊びの手順をアドバイスすることで指導することが肝要である。
【考案の効果】
【０００５】本考案の遊び具は、４点の部品から構成され、遊びながら
イ）数に対する  おもしろみと、興味がわく、
ロ）算数の基本となる「  足し算、  引き算、  掛け算」などを  身につけ、
ハ）従来の様に「  筆記器具などを使用せず」  前記の構成品の入れ替えなどにて数の勉強が自然に体得することが出来るので、  経済的な遊び具となる。
ニ）数の遊び具が、簡素なものにて長く兄弟などにて使用が出来るものであり、
ホ）また  親子、兄弟・姉妹の遊び具として  絆を生むなどの効果も有する。
（これについては、図７の  数あて遊び具にて  顕著に効果がある）
これらの目的のための遊び具の製作として
１）  簡易な形状であるので簡単・容易に製作ができる「数の遊びの具」である。
２）  相似形の遊び具は、図中の各寸法に  代数（例えば  Ｋ＝１４を掛ければ、２分の１の大きさになる）投入にて  相似品の製作が容易に出来る。
３）  表示シート（１０）だけの交換にて  足し算、引き算、かけ算の対応が出来て物の管理上から有利となり、種類が低減され  且、製造原価が安くなるから  トータル的に見て経済的になる。
【図面の簡単な説明】
【０００６】
【図１】  本考案の第１実施の  数の遊び具  ；  めがねシート（１）の平面図
【図２】  本考案の第１実施の  数の遊び具  ；  表示シート（１０）の平面図
【図３】  本考案の第１実施の  数の遊び具  ；  （磁石付）板（２０）の平面図
【図４】  本考案の第１実施のコマ（３０）；  （ａ）コマの  側面図  （ｂ）頭部に数字付のコマの  １セット（１０ケ）分の斜視図
【図５】  本考案の第１実施例の  数の遊び具の  重ね合わせ前（斜め）例；  （ａ）；  足し算の例  （ｂ）；  引き算の例  （ｃ）；  掛け算の例
【図６】  本考案の第１実施の  数の遊び具  入れ具；  （ａ）；  ケース（上）（４１）の斜図  （ｂ）；  ケース（下）（４２）の斜図
【図７】  本考案の第２実施例の  数あて遊び具；  （ａ）数あての表示板（５０）；（Ａ，Ｂ，Ｃ，Ｄ枠列）の４ツ群  （ｂ）数あての記録表（５１）
【考案を実施するための形態】
【０００７】  本考案は、図５に示す様に磁石付板（２０）の上に表示シート（１０）を重ね合わせ、表示シート（１０）の上に  めがねシート（１）を重ねて使用する。
尚，めがねシート（１）の１０ケの孔（２）の左上に小さい文字にて印字されている数に、コマの鍔径（ΦＤ）をコマの表示を図４（ｂ）の表示のコマ（３０）を各々のところに  セットして使う。
図５（ａ）は、「たし算」］時に使用するものであり、図５（ｂ）は、「ひき算」時のものであり、図５（ｃ）は、「かけ算」時に使用する重ね合わせ前のものの事例である。
この三者にての相違は、図２に示す形態で、表面に記入する文字が課題（即ち、たし算、ひき算及び  かけ算時の使用目的による課題）に合うように、課題の文字、等号・式などの配列が異なるのみである。
【０００８】  前記の様であるから、各々について、順をもって、もう少し具体的に以下説明を行う。
磁石付板（２０）の大きさは、幅（７．６Ｋ）×高さ（５．３Ｋ）−厚（０．０１４Ｋ）で、磁石は、板（ゴム）タイプ  又はアイアン・ペーパー等を使用している。尚、印刷文字などの保護・耐久性の向上から全面を「ラミネート」にて覆い、使い易さと  長持ち上からを兼ねている。
【０００９】  表示シート（１０）の大きさは、幅（７．６Ｋ）×高さ（５．３Ｋ）−厚（０．０１Ｋ）で、前記の磁石付板（２０）とは、全く同じ大きさである。
前記の様に、課題に伴う表題の式・等号等が異なる文字の配列（特異性）で表記される。表題の下部に記載の１０ケの数字（の値）は、答えに該当する文字が印字されている。
よって、答えに該当する文字は、例えば  参考文献（例示の特開２００８−４６５３２にある様な文献；「図１から図４」の様なものを）の例示図の数字を記載する。
尚、これらの課題例は、１０枚から２０枚にて  １セットの学習が修得できるパターンにて  カリキュラムされた構成になっている。  （、、、この詳細内容は、省略している。）
【００１０】  めがねシート（１）の大きさは、幅（７．６Ｋ）×高さ（３．６Ｋ）−厚（０．１３Ｋ）で  表示シート（１０）に記載されたコマ置き場（１２）に該当する位置のところに  穴（２）の大きさ「Φ１Ｋ」のものが、同じく１０ケ孔  あけられている。
尚、本  めがねシートの孔の大きさは、コマ（３０）の径（３７）に適合する孔（Φ１Ｋ）があいている。これは使用目的からコマと  磁石付板との吸引力を保持するためにあいているものである。めがねシートの裏側には、１ミリ厚の透明のプラスチック板が  表面には、１・５ミリ厚のコルク材  又は  厚紙とが接着されている。
【００１１】  以上の  三者の表面は、白色を基本とするが、必要に応じて  幼児が好むような彩色を使っている。  文字は、黒い色を基本とするが  ロゴ・絵はその都度  必要な色を使って雰囲気を持ってたちあげている。
図６は、前記の三者の収納用のケース（４０）でプラス  チックにて成形されている。ケース上（４１）の大きさは、幅（９Ｋ）×高さ（６Ｋ）−厚（０．４Ｋ）で、ケース下（４２）とから構成され  ワンセットになっている。
【００１２】  図７は、学習の合間に使用する  仮題の「あなたのお年は  いくつ？」を、２人の対話形式にて  数の合わせ時に用いるものであって、
図７（ａ）は、「数あての表示板」で  大きさは、幅（５・４Ｋ）×高さ（２・６Ｋ）−厚（０．０１Ｋ）であり、
図７（ｂ）は、「数あての記録表」で  大きさは、幅（５．４Ｋ）×高さ（２．５Ｋ）−厚（０．０１Ｋ）である。
図７（ｃ）は、「遊びの手順」の説明をしている。
実際の使用条件は、欄外に注記にて示しているので  ここでは省略している。
尚、前記の「数あての表示板（５０）」及び「数あての記録表（５１）」の材質、厚さなどについての製法などは、図２に使用の  表示シート（１０）に準じている。
【実施例】
【００１３】  以下、添付図に従って、実施例を説明する。
本考案の「数の遊び具」は、図５に図示例の様に  机上の平らなところに磁石付板（２０）の上に表示シート（１０）を重ね、そのうえに  めがねシート（１）を重ね合わせ、その後に  めがねシートの孔（２）にコマ（３０）を表記シート（１）のコマ置き場の各該当の所にコマの表示文字を上側にしてセットする。
尚、前記の各組合せは、「足し算」、「引き算」、「掛け算」のときにも図のように孔（２）にコマをセットするだけで同じ要領にて行う。【００１４】  表示シート（１０）は、「足し算」、「引き算」、「掛け算」に「数遊び具」をするときは、課題に応じて  専用の「表示シート」を選択して行う。
例えば  専用の「足し算の表示シート」は、１０枚をワン  セツトにて系統だった
遊びの練習が出来る様にしてあるが、「引き算」、「掛け算」にも、各１０枚をワン  セット単位で準備されている。ここでは「足し算」の１枚の表示シートで他は代行して説明する。【００１５】１は、長方形の厚紙又は  コルク板の板厚に、Φ２８ミリの孔が１０ケ  等間隔にあけられている  めがねシートである。  板厚（Ｔ１）＝３・５ミリを使用している。
尚、表面には、孔の左上に小文字の数字が水平面上に１，２，３等が記載され、一方、裏面には、全面に  透明のプラス  チック（板厚１・０ミリ）板が接着されている。
２は、めがねシートにあけられている  孔である。
３は  めがねシートに  １０ケの  Φ２８  径孔があけられている。【００１６】１０は、本考案の主体の「数（かず）の遊び具」の  数字・等式などを記載の  表示シートである。  カリキュウムとして１０から２０枚程の  表示ねシートは、ワンセットとなっている。
白紙の厚紙（Ｔ２）＝０．３ミリを使用している。
尚、両面には、使用性の向上と耐久性向上の為に  ラミネートをしている。
１２は、めがねシート（１）の各孔の上にセット時の  コマの置き場である。
１３は、（加減乗  法時の）被定数
１４は、（加減乗  法時の）記号
１５は、（加減乗  時の仮題数などの）定数
１６は、等記号
１７は、  ？  又は、答
１８は、表示シート厚（Ｔ２）【００１７】２０は、（磁石付）板
２１は、磁石盤
２２は、会社名  又は  販売店名
２３は、ロゴマーク／  かずがえる
２４は、板厚（Ｔ３）
３０は、プラスチツク材  にて成形の  コマである。
３１は、コマのボデイー
３２は、指でつまみ易く  薄いコマの鍔
３３は、磁石の  当て板、、、、コルク材、又は  厚紙の円板にて製作、
３４は、鍔径（ΦＤ）                          磁石に接着材にて取付け
３５は、鍔厚（Ｔ４）【００１８】３６は、コマ高３７は、コマの径３８は、コマの（数字）マーク４０は、プラスチツク  にて成形の  「数の遊び具」の入れ物用  ケースである。４１は、ケース（上）４２は、ケース（下）４３は、（公序良俗違反につき、不掲載）くん４４は、（公序良俗違反につき、不掲載）５０は、年齢あて（数あて）クイズに用いるときのクイズ用の  数あての  表示板である。５１は、年齢あて（数あて）の調査結果を整理するため用の  数あての  記録表である。
【符号の説明】
【００１９】１は、めがねシート
２は、孔
４は、シート厚；  （Ｔ１、Ｔ２，Ｔ３）
１０は、「Ａ，Ｂ，Ｃ  等の種類で１０から２０種ある」表示シート
１２は、表示シートのコマ置き場
１３は、（加減乗時の）被定数
１４は、（    〃    ）記号
１５は、（    〃    ）仮題数などの）定数
１６は、等  記号
１７は、  ？  又は  答え【００２０】２０は，（磁石付）板
３０は、コマ
３２は、コマの鍔
３３は、磁石の当て板
３４は、鍔径（ΦＤ）
３８は、コマの（数字）マーク
４０は、ケース
５０は、数あての表示板
５１は、数あての記録表
【図１】
0003177682.tif 000003
【図２】
0003177682.tif 000004
【図３】
0003177682.tif 000005
【図４】
0003177682.tif 000006
【図５】
0003177682.tif 000007
【図６】
0003177682.tif 000008
【図７】
0003177682.tif 000009
【手続補正書】
【提出日】平成24年5月31日(2012.5.31)
【手続補正１】
【補正対象書類名】実用新案登録請求の範囲
【補正対象項目名】全文
【補正方法】変更
【補正の内容】
【実用新案登録請求の範囲】
【請求項１】
幼稚園児または  小学生低学年用の算数の学習用具の  数（かず）の遊び具において、
イ）めがねシートは、表示シートの数と同じ位置に合う孔を持ち、
ロ）表示シートは  課題の文字が印字され、課題を解くための内容を表す数が  課題の下側に孔が羅列され、
ハ）表示シートの上に  めがねシートを重ね合わせ、めがねシートの孔に  コマの円筒形の径を嵌め合せ、
構成されたことを特徴とする  学習用具の  数の遊び具。
【請求項２】
イ）数の課題を記載した  表示シートの下側に、磁石付板を置き、
ロ）めがねシートの裏面に透明の  プラスチックを接着し、
ハ）コマのボデイーの中に磁石を持ったコマを  めがねシートの孔にセットし、
以上より構成してなることを特徴とする  請求項１の学習用具の  数の遊び具。
【請求項３】
イ）めがねシート（１）、表示シート（１０）、磁石付板（２０）及びコマ（３０）の外各箇所の寸法をＫ文字使用で表記し、
ロ）数あての表記板（５０）、数あての記録表（５１）の各箇所の寸法を  Ｋ文字併記で表記した、
ことを特徴とする  請求項１の学習用具の  数の遊び具。
【手続補正２】
【補正対象書類名】明細書
【補正対象項目名】００１８
【補正方法】変更
【補正の内容】
【００１８】３６は、コマ高
３７は、コマの径
３８は、コマの（数字）マーク
４０は、プラスチック  にて成形の  「数の遊び具」の入れ物用  ケースである。
４１は、ケース（上）
４２は、ケース（下）
４３は、△△くん
４４は、○○○
５０は、年齢あて（数あて）クイズに用いるときのクイズ用の  数あての表示板である。
５１は、年齢あて（数あて）の調査結果を整理するため用の  数あての記録表である。
【手続補正３】
【補正対象書類名】図面
【補正対象項目名】図３
【補正方法】変更
【補正の内容】
【図３】
0003177682.tif 000010
【手続補正４】
【補正対象書類名】図面
【補正対象項目名】図６
【補正方法】変更
【補正の内容】
【図６】
0003177682.tif 000011